(57)【要約】【課題】形成部に向けて記録材を良好に給紙することができる画像形成装置を提供する。【解決手段】載置部３５は、押上板３６の上に複数の記録材Ｐを載置する。給紙ローラー３２は、載置部３５に載置された複数の記録材Ｐのうちで最上位の記録材に接触し、最上位の記録材Ｐを給紙する。分離部３３は、給紙ローラー３２に対向して設けられており、給紙ローラー３２により給紙される記録材Ｐの内、最上位以外の記録材を分離する。そして、モーターにより１サイクルの給紙動作が実行される際に、（１）押上板３６は、給紙位置と退避位置の間で１往復の搖動を行うとともに、（２）給紙ローラー３２は、給紙位置において押上板３６の上に載置された記録材Ｐの搬送方向先端と転写ニップ位置との搬送経路に沿った距離よりも大きくなるように設定された単位送り量分、記録材Ｐを給紙する。【選択図】図１
2013154988.tif 000002
【特許請求の範囲】
【請求項１】
(a) 押上板の上に複数の記録材を載置する載置部と、
(b) 前記載置部に載置された複数の記録材のうちで最上位の記録材に接触し、前記最上位の記録材を給紙する給紙ローラーと、
(c) 前記給紙ローラーに対向して設けられており、給紙ローラーにより給紙される記録材の内、最上位以外の記録材を分離する分離部と、
(d) トナー像を担持する像担持体と、
(e) 前記像担持体に対向して設けられており、転写ニップ位置において前記像担持体に形成されたトナー像を前記給紙ローラーから搬送された記録材に転写させる転写ローラーと、
(f) 少なくとも、前記押上板の搖動と前記給紙ローラーの回転とを行う駆動源と、
を備え、
前記押上板は、上方に移動することにより載置された複数の記録材のうちで最上位の記録材が前記給紙ローラーに接触する給紙位置と、下方に移動することにより該給紙ローラーから離隔する退避位置とに搖動し、
前記駆動源によって１サイクルの給紙動作をする際に、
前記押上板が前記給紙位置と前記退避位置の間で１往復の搖動を行い、
回転させられる前記給紙ローラーによる記録材の送り量が、前記給紙位置において前記押上板の上に載置された記録材の搬送方向先端と前記転写ニップ位置との搬送経路に沿った距離よりも大きい単位送り量となるように構成されている
ことを特徴とする画像形成装置。
【請求項２】
請求項１の画像形成装置において、
前記分離部は、前記押上板の前記搖動に対応して、
前記押上板が前記給紙位置にあるときは前記給紙ローラーに対して前記対向した位置に、
前記押上板が前記退避位置にあるときは、前記給紙ローラーから離隔した位置に、搖動されることを特徴とする画像形成装置。
【請求項３】
請求項１または請求項２に記載の画像形成装置において、
前記駆動源からの前記駆動力に従って駆動することにより、前記押上板を搖動させる搖動部、
をさらに備え、
前記搖動部のカムが１回転することによって、
前記押上板が前記給紙位置と前記退避位置との間を１往復することを特徴とする画像形成装置。
【請求項４】
請求項３記載の画像形成装置において、
前記搖動部のカムおよび前記給紙ローラーの回転軸は、ドッキングギアを介して連結しており、
前記カムの１回転に対応して、前記給紙ローラーによる記録材の送り量が前記単位送り量となるようにギア比を設定していることを特徴とする画像形成装置。
【請求項５】
請求項３又は請求項４に記載の画像形成装置において、
前記搖動部が動作することにより可動するアームを備え、アームが可動することにより前記分離部は、前記対向した位置と前記離隔した位置との間を搖動されることを特徴とする画像形成装置。
【請求項６】
請求項３から請求項５のいずれかに記載の画像形成装置において、
前記駆動源と前記搖動部のカムとの間には、クラッチ機構が設けられており、クラッチ機構が動作することにより前記カムが１回転し、
これにともなって、前記給紙ローラーの前記単位送り量に相当する回転、前記押上板の１往復分の搖動、及び前記分離部の搖動、が行われることを特徴とする画像形成装置。
【発明の詳細な説明】
【技術分野】
【０００１】
本発明は、画像形成装置に関し、特に、記録材の給紙手法の改良に関する。
【背景技術】
【０００２】
従来より、駆動モーターからの駆動力の伝達を断接する電磁クラッチを用い、給紙ローラーの駆動を制御する技術が知られている（例えば、特許文献１）。特許文献１の技術では、給紙ローラーの回転制御を実行することによって、記録紙の先端が感光体および転写ローラーの間のニップ位置に到達した後も、記録紙の後端が給紙ローラーから離隔するまで給紙動作が実行される。これにより、感光体および転写ローラーは、給紙ローラーから受け渡された記録紙を、給紙ローラーの回転が停止した後であっても、給紙ローラーおよび分離部の間に挟まれることにより生ずる負荷（摩擦抵抗）を受けることなく、良好に記録紙を搬送することができる。
【先行技術文献】
【特許文献】
【０００３】
【特許文献１】特許第３４８８０１８号公報
【発明の概要】
【発明が解決しようとする課題】
【０００４】
このように、特許文献１の技術において、給紙ローラーおよび分離部に起因した負荷を抑制し、記録紙を良好に搬送するためには、記録紙の後端が給紙ローラーおよび分離部から離隔するまで、給紙ローラーを回転させることが必要となる。その結果、給紙ローラーの回転と、感光体および転写ローラー回転と、の同期制御が複雑になるという問題が生ずる。
【０００５】
そこで、本発明では、形成部に向けて記録材を良好に給紙することができる画像形成装置を提供することを目的とする。
【課題を解決するための手段】
【０００６】
上記の課題を解決するため、請求項１の発明は、押上板の上に複数の記録材を載置する載置部と、前記載置部に載置された複数の記録材のうちで最上位の記録材に接触し、前記最上位の記録材を給紙する給紙ローラーと、前記給紙ローラーに対向して設けられており、給紙ローラーにより給紙される記録材の内、最上位以外の記録材を分離する分離部と、トナー像を担持する像担持体と、前記像担持体に対向して設けられており、転写ニップ位置において前記像担持体に形成されたトナー像を前記給紙ローラーから搬送された記録材に転写させる転写ローラーと、少なくとも、前記押上板の搖動と前記給紙ローラーの回転とを行う駆動源と、を備え、前記押上板は、上方に移動することにより載置された複数の記録材のうちで最上位の記録材が前記給紙ローラーに接触する給紙位置と、下方に移動することにより該給紙ローラーから離隔する退避位置とに搖動し、前記駆動源によって１サイクルの給紙動作をする際に、前記押上板が前記給紙位置と前記退避位置の間で１往復の搖動を行い、回転させられる前記給紙ローラーによる記録材の送り量が、前記給紙位置において前記押上板の上に載置された記録材の搬送方向先端と前記転写ニップ位置との搬送経路に沿った距離よりも大きい単位送り量となるように構成されていることを特徴とする。
【０００７】
また、請求項２の発明は、請求項１の画像形成装置において、前記分離部は、前記押上板の前記搖動に対応して、前記押上板が前記給紙位置にあるときは前記給紙ローラーに対して前記対向した位置に、前記押上板が前記退避位置にあるときは、前記給紙ローラーから離隔した位置に、搖動されることを特徴とする。
【０００８】
また、請求項３の発明は、請求項１または請求項２に記載の画像形成装置において、前記駆動源からの前記駆動力に従って駆動することにより、前記押上板を搖動させる搖動部、をさらに備え、前記搖動部のカムが１回転することによって、前記押上板が前記給紙位置と前記退避位置の間を１往復することを特徴とする。
【０００９】
また、請求項４の発明は、請求項３に記載の画像形成装置において、前記搖動部のカムおよび前記給紙ローラーの回転軸は、ドッキングギアを介して連結しており、前記カムの１回転に対応して、前記給紙ローラーによる記録材の送り量が前記単位送り量となるようにギア比を設定していることを特徴とする。
【００１０】
また、請求項５の発明は、請求項３または請求項４のいずれかに記載の画像形成装置において、前記搖動部が動作することにより可動するアームを備え、アームが可動することにより前記分離部は、前記対向した位置と前記離隔した位置との間を搖動されることを特徴とする。
【００１１】
また、請求項６の発明は、請求項３から請求項５のいずれかに記載の画像形成装置において、前記駆動源と前記搖動部のカムとの間には、クラッチ機構が設けられており、クラッチ機構が動作することにより前記カムが１回転し、これにともなって、前記給紙ローラーの前記単位送り量に相当する回転、前記押上板の１往復分の搖動、及び前記分離部の搖動、が行われることを特徴とする。
【発明の効果】
【００１２】
請求項１から請求項６に記載の発明によれば、駆動源により１サイクルの給紙動作が実行される際に、
（１）押上板は、給紙位置と退避位置の間で１往復の搖動を行うとともに、
（２）給紙ローラーは、給紙位置において押上板の上に載置された記録材の搬送方向先端と転写ニップ位置との搬送経路に沿った距離よりも大きくなるように設定された単位送り量分、記録材を給紙する。
【００１３】
これにより、単一の駆動源によって、給紙ローラーの給紙動作と、押上板の搖動動作と、が実現できる。そのため、給紙動作および搖動動作のために必要となる部品点数を減少させることができ、装置全体の製造コストを低減させることができる。
【００１４】
特に、請求項２に記載の発明によれば、分離部は、押上板の搖動に対応して、
（３）押上板が給紙位置にあるときは給紙ローラーに対して対向した位置に、
（４）押上板が退避位置にあるときは、給紙ローラーから離隔した位置に、
搖動させられる。
【００１５】
これにより、感光体ドラムおよび転写ローラーは、給紙ローラーおよび分離部の間の摩擦抵抗を受けることなく、記録材を搬送することができる。そのため、感光体ドラムおよび転写ローラーによっても、記録材を良好に搬送することができる。
【図面の簡単な説明】
【００１６】
【図１】本発明の実施の形態における画像形成装置の構成の一例を示す正面図である。
【図２】給紙部の構成の一例を示す側面斜視図である。
【図３】搖動部付近の構成の一例を示す背面図である。
【図４】分離部および押上板の動作を説明するための正面図である。
【図５】分離部および押上板の動作を説明するための正面図である。
【図６】給紙部における動力伝達系のスケルトン図である。
【図７】給紙時における給紙部の動作を説明するための正面斜視図である。
【図８】給紙時における給紙部の動作を説明するための正面斜視図である。
【図９】給紙時における給紙部の動作を説明するための正面斜視図である。
【発明を実施するための形態】
【００１７】
以下、図面を参照しつつ本発明の実施の形態について詳細に説明する。
【００１８】
＜１．画像形成装置の構成＞
図１は、本発明の実施の形態における画像形成装置１の構成の一例を示す正面図である。ここで、画像形成装置１は、電子写真方式によりトナー像を記録材Ｐに印刷する。図１に示すように、画像形成装置１は、主として、形成部１０と、定着部２０と、給紙部３０と、排紙部５０と、制御部９０と、を有している。なお、図１および以降の各図には、必要に応じて適宜、Ｚ軸方向を鉛直方向とし、ＸＹ平面を水平面とするＸＹＺ直交座標系が、付されている。
【００１９】
形成部１０は、記録材Ｐにトナー像を形成するプリンターユニットである。図１に示すように、形成部１０は、主として、感光体ドラム１３と、現像部１６と、転写ローラー１８と、露光部１９と、を有している。
【００２０】
感光体ドラム１３は、トナー像を担持する像担持体である。図１に示すように、感光体ドラム１３は、円筒形状または円柱形状を有しており、転写ローラー１８と対向して配置されている。感光体ドラム１３の外周面には、光導電膜が設けられている。したがって、定着部２０から感光体ドラム１３の外周面に光が照射され、この照射部分の電荷が除去されることによって、感光体ドラム１３の外周面には静電潜像が形成される。
【００２１】
現像部１６は、静電潜像が形成された感光体ドラム１３にトナーを供給することによって、１３の外周面に静電潜像に基づいたトナー像を形成する。露光部１９は、感光体ドラム１３にレーザー光を照射する。これにより、感光体ドラム１３の外周面には、静電潜像が形成される。
【００２２】
転写ローラー１８は、感光体ドラム１３に対向して設けられており、転写ニップ位置ＰＮにおいて感光体ドラム１３に形成されたトナー像を、給紙ローラー３２から搬送された記録材Ｐに転写させる。転写ローラー１８は、感光体ドラム１３と同様に、円筒形状または円柱形状を有している。転写ローラー１８の外周面には、感光体ドラム１３の外周面と逆極性の電荷が、付与されている。これにより、感光体ドラム１３および転写ローラー１８が回転しつつ、感光体ドラム１３および転写ローラー１８の間に記録材Ｐが挟み込まれると、記録材Ｐに感光体ドラム１３に形成された静電潜像を現像したトナー像が転写される。
【００２３】
定着部２０は、記録材Ｐ上に転写されたトナー像を定着させる。図１に示すように、定着部２０は、記録材Ｐの搬送方向（以下、単に、「搬送方向」とも称する）において、転写ローラー１８よりも下流側に配置されている。
【００２４】
給紙部３０は、記録材Ｐを形成部１０に供給する供給部として用いられる。なお、給紙部３０の詳細な構成については、後述する。
【００２５】
排紙部５０は、搬送方向における定着部２０の下流側に設けられており、トナー像が定着された記録材Ｐを装置外に排紙する。図１に示すように、排紙部５０は、主として、排紙ローラー５１と、排紙トレイ５２と、を有している。
【００２６】
制御部９０は、図１に示すように、形成部１０および定着部２０の下方に設けられている。制御部９０は、画像形成装置１の各要素の動作制御、およびデータ演算を実現する。例えば、制御部９０は、外部端末（図示省略）等からの画像信号を受け、これをデジタル化した画像データに変換し、形成部１０および給紙部３０等の動作を制御することによって、記録材Ｐへの印刷処理を実行させる。
【００２７】
＜２．給紙部の構成＞
図２は、給紙部３０の構成の一例を示す斜視図である。図３は、搖動部４０付近の構成の一例を示す背面図である。図４および図５は、分離部３３および押上板３６の動作を説明するための正面図である。図６は、給紙部３０における動力伝達系のスケルトン図である。図２および図６に示すように、給紙部３０は、主として、給紙ローラー３２と、分離部３３と、載置部３５と、押上板３６と、搖動部４０と、を有している。
【００２８】
給紙ローラー３２は、載置部３５に載置された複数の記録材Ｐのうちで最上位の記録材（以下、単に、「最上位の記録材」とも称する）に接触し、最上位の記録材Ｐを給紙する。図２に示すように、給紙ローラー３２は、幅方向における回転軸３２ａの中央付近に設けられている。また、回転軸３２ａの両端には、それぞれドッキングギア３８（３８ａ、３８ｂ）が設けられている。また、図２に示すように、カム４２および給紙ローラー３２の回転軸３２ａは、ドッキングギア３８ａを介して連結されている。これにより、給紙ローラー３２は、モーター４７（図６参照）からの駆動力に従って回転し、載置部３５に載置された複数の記録材Ｐを感光体ドラム１３および転写ローラー１８側に給紙する。
【００２９】
分離部３３は、給紙ローラー３２に対向して設けられており、給紙ローラー３２により給紙される記録材Ｐの内、最上位以外の記録材を分離する。図４に示すように、分離部３３は、主として、アーム３３ａと、付勢部材３３ｂと、ブラケット３３ｃと、当接部３３ｄと、を有している。
【００３０】
付勢部材３３ｂは、当接部３３ｄを給紙ローラー３２側（上方）に付勢する。図４に示すように、付勢部材３３ｂは、装置本体１ａ（図１参照）に固定された取付部３４に、取り付けられており、取付部３４に対して伸縮可能とされている。
【００３１】
アーム３３ａは、搖動部４０が動作することにより可動する。また、アーム３３ａは、付勢部材３３ｂに蓄積されるエネルギーを調整する。図４に示すように、アーム３３ａの一端３３ｅは、取付部３４の軸支部３４ａで軸支えされている。また、アーム３３ａは、軸支部３４ａで軸支えされた状態で、当接部３３ｄと接続されたブラケット３３ｃに接触する。
【００３２】
これにより、押上板３６が給紙位置ＰＳ側から退避位置ＰＬ側に搖動させられ、押上板３６の下部がアーム３３ａの他端３３ｆに接触すると、アーム３３ａは、一端３３ｅを軸心として下方向に搖動し、ブラケット３３ｃを下方向に押し下げる。
【００３３】
そのため、付勢部材３３ｂは圧縮され、当接部３３ｄは給紙ローラー３２から離隔する。また、付勢部材３３ｂが圧縮されることによって、付勢部材３３ｂにエネルギーが蓄積される。
【００３４】
一方、搖動部４０が作動することで押上板３６が退避位置ＰＬ側から給紙位置ＰＳ側に搖動させられ、押上板３６の下部がアーム３３ａの他端３３ｆから離隔すると、アーム３３ａは、一端３３ｅを軸心として上方向に搖動する。これにより、付勢部材３３ｂに蓄積されたエネルギーが解放され、付勢部材３３ｂは当接部３３ｄを上方向に付勢する。そのため、分離部３３の当接部３３ｄは、付勢部材３３ｂに付勢された状態で給紙ローラー３２に接触する。
【００３５】
このように、分離部３３および押上板３６は連動して搖動する。具体的には、押上板３６が上方に搖動すると、分離部３３は給紙ローラー３２と接触する。また、押上板３６が下方に搖動すると、分離部３３は給紙ローラー３２から離隔する。すなわち、アーム３３ａが可動することによって、分離部３３の当接部３３ｄは、給紙ローラー３２と対向した位置と、給紙ローラー３２から離隔した位置との間を搖動する。
【００３６】
載置部３５は、図１に示すように、押上板３６の上に複数の記録材Ｐを載置する。押上板３６は、搖動部４０が作動することで上方に移動することにより最上位の記録材Ｐが給紙ローラー３２に接触する給紙位置ＰＳ（図４参照）と、下方に移動することにより該給紙ローラー３２から離隔する退避位置ＰＬ（図５参照）とに搖動する。給紙位置ＰＳにおいては、押上板３６に載置された複数の記録材Ｐは付勢部材３６ｂに給紙ローラー３２に向けて付勢され、そのうち最上位の記録材Ｐは給紙ローラー３２に接触する。
【００３７】
搖動部４０は、モーター４７からの駆動力に従って回転することにより、押上板３６を上下に搖動させる。図２および図３に示すように、搖動部４０は、主として、１回転クラッチ４１と、複数のカム４２（４２ａ、４２ｂ）と、係止部４５と、ソレノイド４６と、を有している。
【００３８】
１回転クラッチ４１（クラッチ機構）は、１回転毎に駆動力の伝達および遮断を切り換える機械要素である。図２に示すように、１回転クラッチ４１は、負荷側ギア４１ａおよび連続回転ギア４１ｂを有している。例えば、図３に示すように、負荷側ギア４１ａの外周には、歯を有しない欠損部４１ｃが、形成されている。
【００３９】
係止部４５は、負荷側ギア４１ａの回転運動、およびソレノイド４６の進退運動に従い、回動軸４５ａを中心に搖動する。具体的には、係止部４５の一端は、負荷側ギア４１ａの中心付近に形成された原節部４１ｄに沿って移動する。また、係止部４５の他端は、ソレノイド４６のプランジャー４６ａと接触するとともに、付勢部材４６ｂにより付勢される。
【００４０】
したがって、原節部４１ｄが係止部４５と係合することによって、１回転クラッチ４１は、モーター４７からの駆動力が遮断され、カム４２の回転を停止させる。また、駆動力の遮断後、ソレノイド４６のプランジャー４６ａが後退することによって、原節部４１ｄおよび係止部４５の係合が解除され、モーター４７からの駆動力が回転軸４０ａに伝達される。
【００４１】
搖動部４０の搖動部４０のカム４２（４２ａ、４２ｂ）は、回転軸４０ａ、４０ｂに伝達された回転運動を、押上板３６の搖動運動に変換する。カム４２ａ、４２ｂの外周には、それぞれドッキングギア４３ａ、４３ｂが形成されている。図２に示すように、ドッキングギア３８ａはドッキングギア４３ａと、ドッキングギア３８ｂはドッキングギア４３ｂと、それぞれ噛み合わされている。
【００４２】
突起部４４（４４ａ、４４ｂ）は、対応するカム４２（４２ａ、４２ｂ）の主面に、形成されている。各突起部４４（４４ａ、４４ｂ）は、対応する追従部３７（３７ａ、３７ｂ）の外周に沿って移動可能とされている。
【００４３】
したがって、モーター４７からの駆動力によりカム４２（４２ａ、４２ｂ）が回転させられると、押上板３６は、付勢部材３６ｂにより上方向に付勢されつつ、搖動軸３６ａを中心に搖動する。
【００４４】
ここで、給紙部３０における動力伝達系について説明する。モーター４７は、少なくとも、押上板３６の搖動と給紙ローラー３２の回転とを行う単一の駆動源である。図６に示すように、モーター４７の駆動力は、１回転クラッチ４１、カム４２ａ、およびドッキングギア３８ａに伝達される。また、図６に示すように、給紙ローラー３２に伝達された駆動力は、ドッキングギア３８ｂを介してカム４２ｂに伝達される。
【００４５】
このように、モーター４７と搖動部４０のカム４２の間には、１回転クラッチ４１が設けられており、１回転クラッチ４１が動作することによりカム４２が１回転する。また、モーター４７からの駆動力は、搖動部４０およびドッキングギア３８ａを介して、給紙ローラー３２に伝達される。そのため、搖動部４０（より具体的には、カム４２（４２ａ、４２ｂ））の回転と給紙ローラー３２の回転とを容易に同期させることができる。
【００４６】
ここで、本実施の形態において、モーター４７からの駆動力が付与され、搖動部４０のカム４２（４２ａ、４２ｂ）が１回転する間、給紙ローラー３２は、最上位の記録材を単位送り量だけ給紙する。これにより、同一のモーター４７から付与される同一の駆動力によって、給紙ローラー３２による単位送り量の給紙と、搖動部４０による押上板３６の搖動と、が同時に実行される。すなわち、単一のモーター４７によって、給紙ローラー３２の給紙動作と、押上板３６の搖動動作と、が実現できる。
【００４７】
また、本実施の形態において、単位送り量は、回転させられる給紙ローラー３２による記録材Ｐの送り量であり、給紙位置ＰＳにおいて押上板３６の上に載置された記録材Ｐの搬送方向先端ＰＴと転写ニップ位置ＰＮとの搬送経路に沿った距離Ｌ１（図４参照）よりも大きくなるように構成されている。
【００４８】
さらに、ドッキングギア３８（３８ａ、３８ｂ）およびドッキングギア４３（４３ａ、４３ｂ）のギア比は、カム４２（４２ａ、４２ｂ）の１回転に対応して、給紙ローラー３２による記録材Ｐの送り量が単位送り量となるように、設定されている。
【００４９】
このように、本実施の形態では、給紙ローラー３２および搖動部４０のそれぞれに対応して複数のモーターを用意する必要がなく、かつ、記録材Ｐを搬送するために別途搬送ローラーを設ける必要がない。そのため、給紙動作および搖動動作のために必要となる部品点数を減少させることができ、装置全体の製造コストを低減させることができる。
【００５０】
＜３．給紙時における給紙部の動作＞
図７から図９のそれぞれは、給紙時における給紙部３０の動作を説明するための正面斜視図である。ここでは、図７から図９を参照しつつ、記録材Ｐの給紙動作について説明する。
【００５１】
なお、記録材Ｐの給紙が開始される前の時点において（図７参照）、係止部４５の一端は、原節部４１ｄと係合しており（図３参照）、押上板３６は、退避位置ＰＬ（図５参照）で停止している。また、分離部３３は、給紙ローラー３２から離隔している。
【００５２】
１サイクルの給紙動作を行う場合には、まず、ソレノイド４６のプランジャー４６ａが後退すると、負荷側ギア４１ａの原節部４１ｄと係止部４５との係合が解除され、モーター４７からの駆動力が回転軸４０ａに伝達される。
【００５３】
これにより、カム４２（４２ａ、４２ｂ）が回転させられ、突起部４４（４４ａ、４４ｂ）が対応する追従部３７（３７ａ、３７ｂ）から離隔する。これにより付勢部材３６ｂが機能することにより押上板３６が上方向に付勢され、押上板３６が上方向に搖動させられ、押上板３６は給紙位置ＰＳに移動する。また、押上板３６が上方向に搖動させられると、アーム３３ａの作用により付勢部材３３ｂが機能することによって、分離部３３が上方向に搖動し、分離部３３は付勢部材３３ｂで付勢された状態で給紙ローラー３２に接触する。
【００５４】
すなわち、分離部３３は、押上板３６の搖動に対応して、押上板３６が給紙位置ＰＳにあるときは押上板３６に対して対向した位置に、搖動させられる。そのため、給紙ローラー３２および分離部３３は、複数の記録材Ｐを１枚ずつ給紙できる（図８参照）。
【００５５】
続いて、カム４２（４２ａ、４２ｂ）がさらに回転させられると、突起部４４（４４ａ、４４ｂ）が対応する追従部３７（３７ａ、３７ｂ）と再接触する（図９参照）。これにより、押上板３６が下方向に搖動させられるとともに、分離部３３が下方向に搖動させられる。
【００５６】
そして、最上位の記録材を単位送り量だけ給紙した時点では記録材の先端ＰＴは転写ニップに到達しているので、以降は記録材は転写ニップでの転写ローラーにより搬送力が付与される。単位送り量を搬送した後の時点において分離部３３は、給紙ローラー３２から離隔するとともに、押上板３６は退避位置ＰＬに移動する。すなわち、押上板３６が退避位置ＰＬにあるときは、分離部３３は、給紙ローラー３２から離隔した位置に、搖動させられる。これにより以降は、感光体ドラム１３および転写ローラー１８は、給紙ローラー３２および分離部３３の間の摩擦抵抗を受けることなく、記録材Ｐを搬送することができる。
【００５７】
ここで、本実施の形態において、転写ローラー１８は、ウレタン等の柔らかい材質により形成されおり、感光体ドラム１３および転写ローラー１８の間のニップ力は、給紙ローラー３２および分離部３３の間のニップ力より小さい。また、給紙ローラー３２による単位送り量の給紙動作が終了し、給紙ローラー３２の回転が停止した状態において、分離部３３は、上述の給紙ローラー３２から離隔している。
【００５８】
これにより、感光体ドラム１３および転写ローラー１８は、給紙ローラー３２および分離部３３の間に挟まれることにより生ずる摩擦抵抗を受けることなく、最上位の記録材を搬送できる。そのため、ニップ力の弱い感光体ドラム１３および転写ローラー１８によっても、最上位の記録材を良好に搬送することができる。
【００５９】
このように、搖動部４０のカム４２（４２ａ、４２ｂ）が１回転し、モーター４７によって１サイクルの給紙動作をする際に、押上板３６が給紙位置ＰＳ（図４参照）と退避位置ＰＬ（図５参照）の間で１往復の搖動を行う。すなわち、１サイクルの給紙動作において、押上板３６は、退避位置ＰＬから給紙位置ＰＳに移動した後、さらに、給紙位置ＰＳから退避位置ＰＬに移動する。そして、給紙位置ＰＳに移動した最上位の記録材が、給紙ローラーにより給紙される。そのため、給紙部３０は、簡便な機構によって、最上位の記録材を給紙することができる。
【００６０】
＜４．本実施の形態における画像形成装置の利点＞
以上のように、本実施の形態の画像形成装置１において、モーター４７により１サイクルの給紙動作が実行される際に、
（１）押上板３６は、給紙位置ＰＳと退避位置ＰＬの間で１往復の搖動を行うとともに、
（２）給紙ローラー３２は、給紙位置ＰＳにおいて押上板３６の上に載置された記録材Ｐの搬送方向先端ＰＴと転写ニップ位置ＰＮとの搬送経路に沿った距離Ｌ１よりも大きくなるように設定された単位送り量分、記録材Ｐを給紙する。
【００６１】
これにより、単一のモーター４７によって、給紙ローラー３２の給紙動作と、押上板３６の搖動動作と、が実現できる。そのため、給紙動作および搖動動作のために必要となる部品点数を減少させることができ、装置全体の製造コストを低減させることができる。
【符号の説明】
【００６２】
１  画像形成装置
１０  形成部
１３  感光体ドラム
１８  転写ローラー
２０  定着部
３０  給紙部
３２  給紙ローラー
３２ａ  回転軸
３３  分離部
３３ａ  アーム
３３ｂ、３６ｂ、４６ｂ  付勢部材
３５  載置部
３６  押上板
３７（３７ａ、３７ｂ）  追従部
３８（３８ａ、３８ｂ）、４３（４３ａ、４３ｂ）  ドッキングギア
４０  搖動部
４０ａ、４０ｂ  回転軸
４１  １回転クラッチ
４２（４２ａ、４２ｂ）  カム
４４（４４ａ、４４ｂ）  突起部
４５  係止部
４５ａ  回動軸
４６  ソレノイド
５０  排紙部
９０  制御部
Ｌ１  距離
Ｐ  記録材
ＰＬ  退避位置
ＰＮ  転写ニップ位置
ＰＳ  給紙位置
ＰＴ  先端
【図１】
2013154988.tif 000003
【図２】
2013154988.tif 000004
【図３】
2013154988.tif 000005
【図４】
2013154988.tif 000006
【図５】
2013154988.tif 000007
【図６】
2013154988.tif 000008
【図７】
2013154988.tif 000009
【図８】
2013154988.tif 000010
【図９】
2013154988.tif 000011